(57)【要約】【課題】他のユーザの携帯端末装置のアドレス帳から、コミュニケーションの頻度に応じて、当該ユーザのプロフィール情報を削除すること。【解決手段】携帯端末装置から通信履歴情報を取得する通信履歴情報取得部と、前記携帯端末装置からアドレス帳を取得するアドレス帳取得部と、通信履歴情報に基づいて、所定の期間における前記アドレス帳に含まれる他のユーザとの間の連絡頻度により表される指標を算出する指標算出部と、指標に基づいて、前記アドレス帳に含まれる他のユーザの情報を削除するかどうかを判定する判定部と、アドレス帳から、削除すると判定された他のユーザの情報を削除することによりアドレス帳を更新するアドレス帳更新部とを有するサーバにより達成される。【選択図】図６
2012065270.tif 000002
【特許請求の範囲】
【請求項１】
携帯端末装置から通信履歴情報を取得する通信履歴情報取得部と、
前記携帯端末装置からアドレス帳を取得するアドレス帳取得部と、
前記通信履歴情報取得部により取得された通信履歴情報に基づいて、所定の期間における前記アドレス帳に含まれる他のユーザとの間の連絡頻度により表される指標を算出する指標算出部と、
前記指標算出部により算出された指標に基づいて、前記アドレス帳に含まれる他のユーザの情報を削除するかどうかを判定する判定部と、
前記アドレス帳から、前記判定部により削除すると判定された他のユーザの情報を削除することによりアドレス帳を更新するアドレス帳更新部と
を有する、サーバ。
【請求項２】
請求項１に記載のサーバにおいて、
前記他のユーザの情報には、該他のユーザの情報の保存期間を管理するかどうかを示す情報が含まれ、
前記指標算出部は、該他のユーザの情報の保存期間を管理するように指定されている他のユーザとのとの間の連絡頻度により表される指標を算出する、サーバ。
【請求項３】
請求項１又は２に記載のサーバにおいて、
前記通信履歴情報取得部により取得された通信履歴情報に基づいて、前記携帯端末装置による連絡から前記携帯端末装置の連絡先の他の携帯端末装置から応答があるまでの経過時間又は他の携帯端末装置からの連絡から前記携帯端末装置による応答までの経過時間に応じて設定される経過時間係数を求める経過時間係数取得部
を有し、
前記指標算出部は、前記経過時間係数取得部により取得された経過時間係数に基づいて、前記指標を算出する、サーバ。
【請求項４】
請求項３に記載のサーバにおいて、
前記携帯端末装置による連絡又は前記携帯端末装置による応答に使用された連絡手段に基づいて設定される連絡手段係数を求める連絡手段係数取得部
を有し、
前記指標算出部は、前記経過時間係数取得部により取得された経過時間係数と、前記連絡手段係数取得部により取得された連絡手段係数に基づいて、前記指標を算出する、サーバ。
【請求項５】
請求項１ないし４のいずれか１項に記載のサーバにおいて、
前記通信履歴情報取得部により取得される通信履歴情報には、通信相手情報と、通信時刻情報と、連絡手段とが含まれ、
前記連絡手段には、Webサービスを利用した連絡手段、ソーシャルネットワークサービスを利用した連絡手段、ブログサービスを利用した連絡手段の少なくとも１つの情報が含まれる、サーバ。
【請求項６】
アドレス情報を提示する携帯端末装置であって、
通信履歴情報を取得する通信履歴情報取得部と、
前記通信履歴情報取得部により取得された通信履歴情報に基づいて、所定の期間における前記アドレス帳に含まれる他のユーザとの間の連絡頻度により表される指標を算出する指標算出部と、
前記指標算出部により算出された指標に基づいて、前記アドレス帳に含まれる他のユーザの情報を削除するかどうかを判定する判定部と、
前記アドレス帳から、前記判定部により削除すると判定された他のユーザの情報を削除することによりアドレス帳を更新するアドレス帳更新部と
を有する、携帯端末装置。
【請求項７】
請求項６に記載の携帯端末装置において、
前記他のユーザの情報には、該他のユーザの情報の保存期間を管理するかどうかを示す情報が含まれ、
前記指標算出部は、該他のユーザの情報の保存期間を管理するように指定されている他のユーザとのとの間の連絡頻度により表される指標を算出する、携帯端末装置。
【請求項８】
請求項６又は７に記載の携帯端末装置において、
前記通信履歴情報取得部により取得された通信履歴情報に基づいて、当該携帯端末装置による連絡から当該携帯端末装置の連絡先の他の携帯端末装置から応答があるまでの経過時間又は他の携帯端末装置からの連絡から当該携帯端末装置による応答までの経過時間に応じて設定される経過時間係数を求める経過時間係数取得部
を有し、
前記指標算出部は、前記経過時間係数取得部により取得された経過時間係数に基づいて、所定の指標を算出する、携帯端末装置。
【請求項９】
請求項８に記載の携帯端末装置において、
当該携帯端末装置による連絡又は当該携帯端末装置による応答に使用された連絡手段に基づいて設定される連絡手段係数を求める連絡手段係数取得部
を有し、
前記指標算出部は、前記経過時間係数取得部により取得された経過時間係数と、前記連絡手段係数取得部により取得された連絡手段係数に基づいて、所定の指標を算出する、携帯端末装置。
【請求項１０】
請求項６ないし９のいずれか１項に記載の携帯端末装置において、
前記通信履歴情報取得部により取得される通信履歴情報には、通信相手情報と、通信時刻情報と、連絡手段とが含まれ、
前記連絡手段には、Webサービスを利用した連絡手段、ソーシャルネットワークサービスを利用した連絡手段、ブログサービスを利用した連絡手段の少なくとも１つの情報が含まれる、携帯端末装置。
【請求項１１】
携帯端末装置と、該携帯端末装置の有するアドレス帳を管理するサーバとを有するシステムであって、
前記サーバは、
携帯端末装置から通信履歴情報を取得する通信履歴情報取得部と、
前記携帯端末装置からアドレス帳を取得するアドレス帳取得部と、
前記通信履歴情報取得部により取得された通信履歴情報に基づいて、所定の期間における前記アドレス帳に含まれる他のユーザとの間の連絡頻度により表される指標を算出する指標算出部と、
前記指標算出部により算出された指標に基づいて、前記アドレス帳に含まれる他のユーザの情報を削除するかどうかを判定する判定部と、
前記アドレス帳から、前記判定部により削除すると判定された他のユーザの情報を削除することによりアドレス帳を更新するアドレス帳更新部と
を有し、
前記携帯端末装置は、
前記サーバに通信履歴情報を通知する通信履歴情報通知部と、
前記サーバにアドレス帳を通知するアドレス帳通知部と、
前記サーバからのアドレス帳に更新するアドレス帳更新部と
を有する、システム。
【請求項１２】
携帯端末装置から通信履歴情報を取得する通信履歴情報取得ステップと、
前記携帯端末装置からアドレス帳を取得するアドレス帳取得ステップと、
前記通信履歴情報取得ステップにより取得された通信履歴情報に基づいて、所定の期間における前記アドレス帳に含まれる他のユーザとの間の連絡頻度により表される指標を算出する指標算出ステップと、
前記指標算出ステップにより算出された指標に基づいて、前記アドレス帳に含まれる他のユーザの情報を削除するかどうかを判定する判定ステップと、
前記アドレス帳から、前記判定ステップにより削除すると判定された他のユーザの情報を削除することによりアドレス帳を更新するアドレス帳更新ステップと
を有する、サーバにおける方法。
【請求項１３】
アドレス情報を提示する携帯端末装置における方法であって、
通信履歴情報を取得する通信履歴情報取得ステップと、
前記通信履歴情報取得ステップにより取得された通信履歴情報に基づいて、所定の期間における前記アドレス帳に含まれる他のユーザとの間の連絡頻度により表される指標を算出する指標算出ステップと、
前記指標算出ステップにより算出された指標に基づいて、前記アドレス帳に含まれる他のユーザの情報を削除するかどうかを判定する判定ステップと、
前記アドレス帳から、前記判定ステップにより削除すると判定された他のユーザの情報を削除することによりアドレス帳を更新するアドレス帳更新ステップと
を有する、方法。
【請求項１４】
請求項１３に記載の方法をコンピュータに実行させるためのプログラム。
【発明の詳細な説明】
【技術分野】
【０００１】
本発明は、アドレス情報を提示するシステムに関する。
【背景技術】
【０００２】
電気通信キャリアや端末メーカーにより、相次いでオープンなプラットフォームを採用した携帯端末装置が、市場に投入されている。該携帯端末装置には、スマートフォンが含まれる。オープンなプラットフォームが採用されることにより、電気通信キャリアや端末メーカーは、API(Application Program Interface)を利用した新しい機能、サービスを提供可能な携帯端末装置を製品化できる。また、オープンなプラットフォームが採用されることにより、好みに応じてアプリケーションを追加できる。
【０００３】
オープンなプラットフォームが採用されることにより、アプリケーションの開発者はアプリケーションを自由に開発でき、ユーザは豊富にそろったアプリケーションの中から所望のアプリケーションを選択できる。
【０００４】
APIを利用した新しい機能の一例として、アドレス情報に関する開発が行われている。
【先行技術文献】
【特許文献】
【０００５】
【特許文献１】特開2009-163512号公報
【発明の概要】
【発明が解決しようとする課題】
【０００６】
携帯端末装置は、他の携帯端末装置との間で、プロフィール情報を交換することができる。該プロフィール情報には、ユーザ名、電話番号、電子メールのアドレス、Webサービスアカウントなどが含まれる。
【０００７】
該プロフィール情報に含まれる情報は、企業であれば厳重に保護されるべき個人情報である。しかし、プロフィール情報の交換相手が個人である場合には、該プロフィール情報の取り扱いは、該個人の意識や、スキルに依存する。従って、他のユーザとプロフィール情報を交換する際の不安は大きい。
【０００８】
例えば、プロフィール情報を交換した後に、連絡をとらなくなった場合には、他のユーザのアドレス帳から自分のプロフィール情報を削除したいという要求もある。しかし、他のユーザのアドレス帳から自分のプロフィール情報を削除するための操作が必要であり、操作が面倒であったり、削除することを忘れてしまったりすることがある。
【０００９】
そこで、本発明は上述した問題点に鑑みてなされたものであり、その目的は、他のユーザの携帯端末装置のアドレス帳から、コミュニケーションの頻度に応じて、当該ユーザのプロフィール情報を削除することである。
【課題を解決するための手段】
【００１０】
本サーバは、
携帯端末装置から通信履歴情報を取得する通信履歴情報取得部と、
前記携帯端末装置からアドレス帳を取得するアドレス帳取得部と、
前記通信履歴情報取得部により取得された通信履歴情報に基づいて、所定の期間における前記アドレス帳に含まれる他のユーザとの間の連絡頻度により表される指標を算出する指標算出部と、
前記指標算出部により算出された指標に基づいて、前記アドレス帳に含まれる他のユーザの情報を削除するかどうかを判定する判定部と、
前記アドレス帳から、前記判定部により削除すると判定された他のユーザの情報を削除することによりアドレス帳を更新するアドレス帳更新部と
を有する。
【００１１】
本携帯端末装置は、
アドレス情報を提示する携帯端末装置であって、
通信履歴情報を取得する通信履歴情報取得部と、
前記通信履歴情報取得部により取得された通信履歴情報に基づいて、所定の期間における前記アドレス帳に含まれる他のユーザとの間の連絡頻度により表される指標を算出する指標算出部と、
前記指標算出部により算出された指標に基づいて、前記アドレス帳に含まれる他のユーザの情報を削除するかどうかを判定する判定部と、
前記アドレス帳から、前記判定部により削除すると判定された他のユーザの情報を削除することによりアドレス帳を更新するアドレス帳更新部と
を有する。
【００１２】
本システムは、
携帯端末装置と、該携帯端末装置の有するアドレス帳を管理するサーバとを有するシステムであって、
前記サーバは、
携帯端末装置から通信履歴情報を取得する通信履歴情報取得部と、
前記携帯端末装置からアドレス帳を取得するアドレス帳取得部と、
前記通信履歴情報取得部により取得された通信履歴情報に基づいて、所定の期間における前記アドレス帳に含まれる他のユーザとの間の連絡頻度により表される指標を算出する指標算出部と、
前記指標算出部により算出された指標に基づいて、前記アドレス帳に含まれる他のユーザの情報を削除するかどうかを判定する判定部と、
前記アドレス帳から、前記判定部により削除すると判定された他のユーザの情報を削除することによりアドレス帳を更新するアドレス帳更新部と
を有し、
前記携帯端末装置は、
前記サーバに通信履歴情報を通知する通信履歴情報通知部と、
前記サーバにアドレス帳を通知するアドレス帳通知部と、
前記サーバからのアドレス帳に更新するアドレス帳更新部と
を有する。
【００１３】
本方法は、
携帯端末装置から通信履歴情報を取得する通信履歴情報取得ステップと、
前記携帯端末装置からアドレス帳を取得するアドレス帳取得ステップと、
前記通信履歴情報取得ステップにより取得された通信履歴情報に基づいて、所定の期間における前記アドレス帳に含まれる他のユーザとの間の連絡頻度により表される指標を算出する指標算出ステップと、
前記指標算出ステップにより算出された指標に基づいて、前記アドレス帳に含まれる他のユーザの情報を削除するかどうかを判定する判定ステップと、
前記アドレス帳から、前記判定ステップにより削除すると判定された他のユーザの情報を削除することによりアドレス帳を更新するアドレス帳更新ステップと
を有する。
【００１４】
本方法は、
アドレス情報を提示する携帯端末装置における方法であって、
通信履歴情報を取得する通信履歴情報取得ステップと、
前記通信履歴情報取得ステップにより取得された通信履歴情報に基づいて、所定の期間における前記アドレス帳に含まれる他のユーザとの間の連絡頻度により表される指標を算出する指標算出ステップと、
前記指標算出ステップにより算出された指標に基づいて、前記アドレス帳に含まれる他のユーザの情報を削除するかどうかを判定する判定ステップと、
前記アドレス帳から、前記判定ステップにより削除すると判定された他のユーザの情報を削除することによりアドレス帳を更新するアドレス帳更新ステップと
を有する。
【発明の効果】
【００１５】
開示のサーバ、携帯端末装置、システム、及び方法並びにプログラムによれば、他のユーザの携帯端末装置のアドレス帳から、コミュニケーションの頻度に応じて、当該ユーザのプロフィール情報を削除することができる。
【図面の簡単な説明】
【００１６】
【図１】本実施例に従ったシステムの一例を示す図である。
【図２】本実施例に従った携帯端末装置の一例を示す機能ブロック図である。
【図３】本実施例に従った携帯端末装置の分類の一例を示す図である。
【図４】本実施例に従った重要度指標の一例を示す説明図である。
【図５】本実施例に従った重要度指標の一例を示す説明図である。
【図６】本実施例に従ったアドレス帳管理サーバの一例を示す機能ブロック図である。
【図７】本実施例に従った通信履歴情報の一例を示す図である。
【図８】本実施例に従ったシステムの動作の一例を示すシーケンスチャートである。
【図９】本変形例に従った携帯端末装置の一例を示す機能ブロック図である。
【図１０】本変形例に従ったシステムの動作の一例を示すシーケンスチャートである。
【発明を実施するための形態】
【００１７】
次に、本発明を実施するための形態を、以下の実施例に基づき図面を参照しつつ説明する。
なお、実施例を説明するための全図において、同一機能を有するものは同一符号を用い、繰り返しの説明は省略する。
【００１８】
＜実施例＞
＜システム＞
本実施例に従ったアドレス帳管理サーバ１００が適用されるシステムについて説明する。
【００１９】
図１は、本アドレス帳管理サーバ１００が適用されるシステムの一例を示す。
【００２０】
本システムには、携帯端末装置２００ｎ（ｎは、ｎ＞１の整数）が含まれる。該携帯端末装置２００ｎは、通信網５０を介して、アドレス帳管理サーバ１００にアクセスできる。例えば、該携帯端末装置２００ｎは、アクセスポイント（図示無し）に接続し、該アクセスポイントが接続された通信網５０に接続されたアドレス帳管理サーバ１００にアクセスしてもよい。該通信網５０は、インターネットであってもよい。また、例えば、該携帯端末装置２００ｎは基地局（図示無し）に接続し、該基地局が接続された通信網５０に接続されたアドレス帳管理サーバ１００にアクセスしてもよい。該通信網５０は、移動体通信ネットワークであってもよい。
【００２１】
＜携帯端末装置＞
本携帯端末装置２００ｎは、電話機能、電子メール機能に加え、電話機能、電子メール機能以外の他の連絡手段を有する。該他の連絡手段には、１対１の通信可能な連絡手段が含まれるのが好ましい。例えば、本携帯端末装置２００ｎは、Webサービスを利用した通信、ソーシャルネットワークサービス(SNS: Social Network Service)を利用した通信、ブログサービスを利用した通信などが可能である。例えば、ツイッタ(Twitter) （登録商標）、各種ブログサービスなどを利用できる。
【００２２】
本実施例では、他の連絡手段の一例として、ツイッタが適用される場合について説明する。ツイッタに限らず、上記の他の連絡手段、また、上記以外の連絡手段を適用できる。
【００２３】
本携帯端末装置２００ｎは、他の携帯端末装置とプロフィール情報を交換した際に、アドレス帳を更新する。該プロフィール情報には、他の携帯端末装置のユーザ名（連絡相手）、電話番号、電子メールアドレス、他の連絡手段に対応するアドレス、プロフィール情報の保存期間を示す情報（以下、「プロフィール情報保存期間情報」という）が含まれる。プロフィール情報保存期間情報は、プロフィール情報の保存期間を管理するかどうかを示す情報である。該プロフィール情報の保存期間を示す情報が、プロフィール情報の保存期間を管理することを示す場合、アドレス帳管理サーバ１００によりプロフィール情報の保存期間が管理される。一方、該プロフィール情報の保存期間を示す情報が、プロフィール情報の保存期間を管理しないことを示す場合、アドレス帳管理サーバ１００によりプロフィール情報の保存期間が管理されない。換言すれば、何らかの操作が行われない限り、プロフィール情報は削除されない。
【００２４】
本携帯端末装置２００ｎは、他の携帯端末装置との間の通信情報を収集する。例えば、通信情報として、通信相手、通信開始時間、連絡手段の情報が収集される。
【００２５】
本携帯端末装置２００ｎは、所定の周期で、アドレス帳管理サーバ１００に、アドレス帳と、通信履歴情報とを送信する。通信履歴情報には、通信情報が含まれる。
【００２６】
本携帯端末装置２００ｎは、アドレス帳管理サーバ１００からのアドレス帳を受信し、該アドレス帳を新たなアドレス帳として更新する。
【００２７】
本携帯端末装置２００ｎは、ユーザによる所定の操作により、アドレス帳を表示する。
【００２８】
図２は、本携帯端末装置２００ｎの機能を示す機能ブロック図である。
【００２９】
本携帯端末装置２００ｎは、送受信部２０２を有する。該送受信部２０２は、他の携帯端末装置に、プロフィール情報を無線送信する。該送受信部２０２は、アドレス帳管理サーバ１００に、アドレス帳と、通信履歴情報とを無線送信する。また、送受信部２０２は、アドレス帳管理サーバ１００により送信されたアドレス帳を受信する。
【００３０】
本携帯端末装置２００ｎは、プロフィール情報生成部２０３を有する。該プロフィール情報生成部２０３は、送受信部２０２と接続される。該プロフィール情報生成部２０３は、プロフィール情報を生成し、送受信部２０２に入力する。該プロフィール情報には、当該携帯端末装置のユーザ名と、電話番号と、電子メールアドレスと、他の連絡手段に対応するアドレスと、プロフィール情報保存期間情報とが含まれる。該プロフィール情報は、他の携帯端末装置に、送受信部２０２から送信される。
【００３１】
本携帯端末装置２００ｎは、制御部２０４を有する。該制御部２０４は、送受信部２０２と接続される。該制御部２０４は、他の携帯端末装置からのプロフィール情報をアドレス帳に追加する。該制御部２０４は、アドレス帳管理サーバ１００に、アドレス帳を送信するための制御を行う。該アドレス帳は、本携帯端末装置２００ｎに新たなユーザのプロフィール情報が追加された場合に、送信されるのが好ましい。また、該制御部２０４は、アドレス帳管理サーバ１００により送信されたアドレス帳を記憶部２０６に格納する。
【００３２】
また、該制御部２０４は、他の携帯端末装置との間で行われた通信情報を収集する。例えば、通信情報として、通信相手、通信開始時間、連絡手段の情報が収集される。制御部２０４は、記憶部２０６の通信履歴情報２０６４に、通信情報を格納する。該制御部２０４は、所定の周期で、通信履歴情報を送信するための制御を行う。
【００３３】
本携帯端末装置２００ｎは、記憶部２０６を有する。該記憶部２０６には、アドレス帳２０６２と、通信履歴情報２０６４とが含まれる。
【００３４】
本携帯端末装置２００ｎは、アドレス帳情報生成部２０８を有する。該アドレス帳情報生成部２０８は、制御部２０４による命令に従って、アドレス帳２０６２からアドレス帳を取得し、該アドレス帳をアドレス帳管理サーバ１００に通知するための信号を生成し、送受信部２０２から送信する。
【００３５】
本携帯端末装置２００ｎは、通信履歴情報生成部２１０を有する。該通信履歴情報生成部２１０は、制御部２０４による命令に従って、通信履歴情報２０６４から通信履歴情報を取得し、該通信履歴情報をアドレス帳管理サーバ１００に通知するための信号を生成し、送受信部２０２から送信する。
【００３６】
本携帯端末装置２００ｎは、表示部２１２を有する。該表示部２１２は、ユーザによりアドレス帳を表示するための所定の操作が行われた場合に、アドレス帳を表示する。
【００３７】
＜アドレス帳管理サーバ＞
本アドレス帳管理サーバ１００は、携帯端末装置２００ｎにより送信されたアドレス帳と、通信履歴情報とに基づいて、アドレス帳に含まれるプロフィール情報のうち、プロフィール情報保存期間情報がプロフィール情報の保存期間を管理することを示すものについて、所定の期間における連絡頻度に応じて、削除するかどうかを判定する。例えば、連絡頻度が所定の閾値未満の他のユーザのプロフィール情報を削除し、連絡頻度が所定の閾値以上の他のユーザのプロフィール情報は削除しない。該削除しないユーザのプロフィール情報については、新たに連絡頻度の計算を開始し、次の所定の期間の経過時に同様の判定が行われるようにしてもよい。また、所定の回数プロフィール情報を削除しないと判定された場合に、何らかの操作が行われない限り、プロフィール情報は削除されないような設定に変更されてもよい。
【００３８】
本実施例では、連絡頻度を表す指標の一例として、ユーザにとって、他のユーザの重要性を表す指標を利用する。例えば、重要度が高い連絡相手には、応答が成立している相手、ユーザが発信した相手が含まれる。本システムでは、プロフィール情報を削除するかどうかを判定する際に、連絡頻度を表す指標として、重要度を表す指標（以下、「重要度指標」という）が計算される。
【００３９】
＜重要度＞
図３は、本システムにおける連絡相手を示す。
【００４０】
図３に示される丸印はユーザを表し、矢印は連絡、応答を示す。例えば、「Ａ→Ｂ」は、ＡからＢに連絡したことを示す。双方向の矢印は、連絡及び応答を示す。
【００４１】
ユーザにとって、３０２により示される他のユーザは、応答が成立している相手であり、重要度が高いと判定される。応答が成立している場合とは、ユーザが他のユーザに連絡した場合に、該他のユーザからの応答がある場合と、逆に他のユーザから当該ユーザに連絡があった場合に、該ユーザが該他のユーザに応答した場合とが含まれる。
【００４２】
ユーザにとって、３０４により示される他のユーザは、ユーザから相手への連絡時に応答が不成立であった相手であり、重要度は中であると判定される。当該ユーザから相手への連絡時に応答が不成立であった場合とは、ユーザが他のユーザに連絡した場合に、該他のユーザからの応答がない場合が含まれる。
【００４３】
ユーザにとって、３０６により示される他のユーザは、他のユーザからの連絡時に応答が不成立であった相手であり、重要度は低いと判定される。他のユーザからの連絡時に応答が不成立であった場合とは、他のユーザから当該ユーザに連絡があった場合に、当該他のユーザが応答しなかった場合が含まれる。
【００４４】
本実施例では、他のユーザの重要度を判定する方法の一例として、応答があるかどうかに基づいて他のユーザを分類する。
【００４５】
本システムでは、他のユーザのうち、重要度が高であるユーザと、重要度が中であるユーザについて、重要度を数値化した重要度指標が計算される例について示されるが、重要度が低であるユーザを含めてもよい。
【００４６】
本システムでは、重要度指標を算出する際に、ユーザが連絡に使用した連絡手段に応じて、所定の係数（以下、「連絡手段係数」という）が設定される。
【００４７】
図４は、連絡手段に応じて設定される連絡手段係数の一例を示す。図４には、連絡手段に応じて設定される連絡手段係数の一例として、緊急度に応じて連絡手段係数が設定される場合を示す。緊急度に限らず他の条件により連絡手段係数が設定されてもよいし、全て同様の値の連絡手段係数が設定されてもよい。
【００４８】
具体的には、緊急度が高い順に、ユーザは連絡手段として、電話、電子メール、ツイッタを使用すると想定される。この場合、連絡手段係数の値が高い方から連絡手段係数の値が低い方に、電話、電子メール、ツイッタとなる。例えば、電話が使用された場合の連絡手段係数を「３」、電子メールが使用された場合の連絡手段係数を「２」、ツイッタが使用された場合の連絡手段係数を「１」とする。この連絡手段係数は一例であり、適宜変更可能である。例えば、時間帯に応じて連絡手段係数の値が変更されてもよい。
【００４９】
また、本システムでは、ユーザが連絡してから、他のユーザにより応答されるまでの経過時間、逆に他のユーザによる連絡があってから、応答するまでの経過時間に応じて係数（以下、「経過時間係数」という）が設定される。ユーザにとって他のユーザの重要度が高い程、応答までの経過時間が短いと想定され、逆に他のユーザにとってユーザの重要度が高い程、応答するまでの経過時間が短いと想定されるためである。
【００５０】
図５は、連絡してから応答があるまでの経過時間と、連絡があってから応答するまでの経過時間に応じて設定される経過時間係数の一例を示す。該経過時間係数は一例であり、適宜変更可能である。例えば、時間帯に応じて経過時間係数の値が変更されてもよい。
【００５１】
具体的には、連絡してから応答があるまでの経過時間と、連絡があってから応答するまでの経過時間が短い順に高い値の経過時間係数が設定される。例えば、応答があるまでの経過時間、及び応答するまでの経過時間が「０〜１分」（１分未満）である場合の経過時間係数を「２」、「１分〜３０分」（１分以上３０分未満）である場合の経過時間係数を「１．５」とする。さらに、応答があるまでの経過時間が「３０分〜」（３０分以上）である場合の経過時間係数を「１．０」とする。さらに、応答するまでの経過時間が「３０分〜」（３０分以上）である場合の経過時間係数を「０」とする。連絡があってから応答しない場合には、例えば、該連絡が誤りであることが想定され、重要度が低いと想定されるからである。以下、連絡してから応答があるまでの経過時間、連絡があってから応答するまでの経過時間を「応答速度」という。該「応答速度」の区分も適宜変更可能である。
【００５２】
ある連絡手段により連絡してから、その連絡への応答に利用された連絡手段は同じであってもよいし、異なってもよい。例えば、異なる場合には、電話による連絡への応答として、電子メール、ツイッタにより応答されてもよい。本実施例では、応答に利用された連絡手段は、問わない場合について示す。
【００５３】
本システムでは、ユーザが他のユーザに連絡した場合に、該他のユーザから連絡があれば、応答したものとみなす。１連絡に１応答が対応し、複数回応答があった場合、２回目以降の応答は、該連絡への応答とはみなされない。例えば、２回目の応答は、他のユーザからの連絡とみなす。
【００５４】
本アドレス管理サーバ１００は、ユーザ毎に、重要度指標を算出する。
【００５５】
例えば、連絡する際に使用した連絡手段に対応する連絡手段係数と、該連絡に対する応答速度に対応する経過時間係数とを乗算することにより重要度指標を算出する。該重要度指標は、連絡と応答とを１つのセットとして算出される。
【００５６】
本アドレス管理サーバ１００は、アドレス帳に含まれるプロフィール情報のうち、プロフィール情報保存期間情報がプロフィール情報の保存期間を管理することを示す連絡相手について、ある所定の期間における重要度指標を合計することにより、該所定の期間における重要度指標の合計（以下、「合計重要度指標」という）を求める。
【００５７】
本アドレス管理サーバ１００は、該合計重要度指標が所定の閾値以上であるかどうかを判定する。本アドレス管理サーバ１００は、該合計重要度指標が所定の閾値以上である経過時間のプロフィール情報を削除しないと判定する。また、本アドレス管理サーバ１００は、該合計重要度指標が所定の閾値未満である経過時間のプロフィール情報を削除すると判定する。
【００５８】
本アドレス管理サーバ１００は、削除すると判定したプロフィール情報を削除することにより、アドレス帳を更新する。
【００５９】
本アドレス帳管理サーバ１００は、携帯端末装置２００ｎに、更新したアドレス帳を送信する。
【００６０】
図６は、本アドレス帳管理サーバ１００の機能の一例を示す機能ブロック図である。
【００６１】
本アドレス帳管理サーバ１００は、送受信部１０２を有する。該送受信部１０２は、通信網５０と接続される。該送受信部１０２は、携帯端末装置２００ｎにより送信されたアドレス帳を受信する。該送受信部１０２は、携帯端末装置２００ｎにより送信された通信履歴情報を受信する。該送受信部１０２は、携帯端末装置２００ｎに、更新したアドレス帳を送信する。
【００６２】
本アドレス帳管理サーバ１００は、アドレス帳取得部１０４を有する。該アドレス帳取得部１０４は、送受信部１０２と接続される。該アドレス帳取得部１０４は、送受信部１０２により入力されるべき信号から、アドレス帳を取得する。取得されたアドレス帳は、アドレス帳格納部１０６に入力される。
【００６３】
本アドレス帳管理サーバ１００は、アドレス帳格納部１０６を有する。該アドレス帳格納部１０６は、アドレス帳取得部１０４と接続される。アドレス帳格納部１０６には、ユーザの利用する携帯端末装置２００ｎ毎に、アドレス帳が格納される。携帯端末装置２００ｎによりアドレス帳が送信される度に、該アドレス帳に更新されてもよい。
【００６４】
本アドレス帳管理サーバ１００は、通信履歴情報取得部１０８を有する。該通信履歴情報取得部１０８は、送受信部１０２と接続される。該通信履歴情報取得部１０８は、送受信部１０２により入力されるべき信号から、通信履歴情報を取得する。取得された通信履歴情報は、通信履歴情報格納部１１０に入力される。
【００６５】
図７は、携帯端末装置２００ｎにより送信される通信履歴情報の一例である。図７には、ユーザＡの利用する携帯端末装置２００１により送信される通信履歴情報の一例が示される。例えば、ユーザＡの利用する携帯端末装置２００１からは、ユーザＡとユーザＺとの間の通信履歴情報が送信される。該通信履歴情報には、ユーザＺからユーザＡに送信された通信情報と、ユーザＡからユーザＺへの通信情報とが含まれる。例えば、ユーザＺからユーザＡに９時１０分に、電子メールが送信されたこと等が示される。また、例えば、ユーザＡからユーザＺに９時１１分に、電子メールが送信されたこと等が示される。
【００６６】
通信履歴情報取得部１０８は、携帯端末装置２００１により送信された通信履歴情報に基づいて、ユーザＺからユーザＡへの連絡と、ユーザＡからユーザＺに対する応答とを対応付けて、応答履歴情報として、通信履歴情報格納部１１０に格納するようにしてもよい。また、ユーザＡからユーザＺへの連絡と、ユーザＺからユーザＡに対する応答とを対応付けて、応答履歴情報として、通信履歴情報格納部１１０に格納するようにしてもよい。
【００６７】
ここで、ユーザＺからユーザＡへの連絡に対する応答には、ユーザＡからユーザＺへの通信であれば、該連絡に対する直接の応答に限られない。また、ユーザＡからユーザＺへの連絡に対する応答には、ユーザＺからユーザＡへの通信であれば、該連絡に対する直接の応答に限られない。
【００６８】
例えば、ユーザＺからユーザＡへの連絡に対する応答履歴には、ユーザＺがユーザＡに９時１０分に電子メールで連絡したことと、ユーザＡが９時１１分に電子メールで応答したこととの対応等が含まれる。また、例えば、ユーザＡからユーザＺへの連絡に対する応答履歴には、ユーザＡがユーザＺに１１時３１分に電子メールで連絡したことと、ユーザＺから３０分以上経過しても連絡がなかったこととの対応等が含まれる。
【００６９】
本アドレス帳管理サーバ１００は、通信履歴情報格納部１１０を有する。該通信履歴情報格納部１１０は、通信履歴情報取得部１０８と接続される。通信履歴情報格納部１１０には、携帯端末装置２００ｎ毎に、通信履歴情報が格納される。携帯端末装置２００ｎにより通信履歴情報が送信される度に、該通信履歴情報が更新されてもよいし、累積されてもよい。累積される場合新たな部分だけ追加されるようにしてもよい。
【００７０】
本アドレス帳管理サーバ１００は、重要度指標算出部１１２を有する。該重要度指標算出部１１２は、通信履歴情報格納部１１０と、アドレス帳格納部１０６と接続される。該重要度指標算出部１１２は、アドレス帳格納部１０６に格納されたアドレス帳に含まれるプロフィール情報のうち、プロフィール情報保存期間情報がプロフィール情報の保存期間を管理することを示す連絡相手（以下、「プロフィール情報保存期間管理ユーザ」という）について、通信履歴情報格納部１１０に格納された通信履歴情報に基づいて、重要度指標を算出する。例えば、連絡する際に使用した連絡手段に対応する連絡手段係数と、該連絡に対する応答速度に対応する経過時間係数とを乗算することにより重要度指標を算出する。該重要度指標算出部１１２は、プロフィール情報保存期間管理ユーザについて、ある所定の期間における重要度指標を合計することにより、該所定の期間における合計重要度指標を求める。該重要度指標算出部１１２は、プロフィール情報削除判定部１１４に、プロフィール情報保存期間管理ユーザを示す情報と、該プロフィール情報保存期間管理ユーザについて算出された合計重要度指標を入力する。上述した重要度指標、合計重要度指標の算出方法は、一例であり、この方法以外の方法で、重要度指標、合計重要度指標が算出されてもよい。例えば、連絡手段係数だけを用いて、該連絡手段係数に対して所定の演算を施すことにより重要度指標、合計重要度指標が算出されてもよいし、経過時間係数だけを用いて、該経過時間係数に対して所定の演算を施すことにより重要度指標、合計重要度指標が算出されてもよい。また、例えば、連絡手段係数を重要度指標としてもよいし、経過時間係数を重要度指標としてもよい。
【００７１】
本アドレス帳管理サーバ１００は、プロフィール情報削除判定部１１４を有する。該プロフィール情報削除判定部１１４は、重要度指標算出部１１２と接続される。該プロフィール情報削除判定部１１４は、重要度指標算出部１１２により入力されたプロフィール情報保存期間管理ユーザを示す情報と、該プロフィール情報保存期間管理ユーザについて算出された合計重要度指標とに基づいて、プロフィール情報保存期間管理ユーザのプロフィール情報を削除すべきかどうかを判定する。例えば、合計重要度指標が所定の閾値以上である場合には、プロフィール情報を削除しないと判定する。連絡頻度が高いと判定されるためである。一方、合計重要度指標が所定の閾値未満である場合には、プロフィール情報を削除すると判定する。連絡頻度が低いと判定されるためである。プロフィール情報削除判定部１１４は、アドレス帳更新部１１６に、プロフィール情報を削除すべきと判定したプロフィール情報保存期間管理ユーザの情報を入力する。
【００７２】
本アドレス帳管理サーバ１００は、アドレス帳更新部１１６を有する。該アドレス帳更新部１１６は、送受信部１０２と、プロフィール情報削除判定部１１４と、アドレス帳格納部１０６と接続される。該アドレス帳更新部１１６は、プロフィール情報削除判定部１１４により入力されたプロフィール情報を削除すべきと判定したプロフィール情報保存期間管理ユーザの情報に基づいて、該当するユーザのアドレス帳から、該プロフィール情報を削除すべきと判定したプロフィール情報保存期間管理ユーザのプロフィール情報を削除することにより更新する。アドレス帳更新部１１６は、送受信部１０２から、更新したアドレス帳を送信する。
【００７３】
＜本システムの動作＞
図８は、本システムの動作を示すシーケンスチャートである。
【００７４】
図８に示すシーケンスチャートでは、ユーザＺの有する携帯端末装置２００２に格納されたアドレス帳が更新される。また、連絡相手に相当するのがユーザＡであり、該ユーザＡの有する携帯端末装置２００１により送信されたプロフィール情報が削除されるかどうかが判定される。図８では、説明の便宜のため、連絡相手に相当するのがユーザＡである場合について示されるが、複数の連絡相手からのプロフィール情報に基づいて、ユーザＺのアドレス帳が更新される場合に適用される。この場合、複数の連絡相手のうち、プロフィール情報保存期間管理ユーザについて、重要度指標が算出される。
【００７５】
ユーザＡの携帯端末装置２００１と、ユーザＺの携帯端末装置２００２との間でプロフィール情報が交換される（ステップＳ８０２）。
【００７６】
ユーザＡの携帯端末装置２００１から、ユーザＺの携帯端末装置２００２にプロフィール情報が送信される（ステップＳ８０４）。例えば、ユーザＡの携帯端末装置２００１の送受信部２０２は、ユーザＺの携帯端末装置２００２に、プロフィール情報を送信する。該プロフィール情報には、プロフィール情報の保存期間を管理することを示すプロフィール情報保存期間情報が含まれる。例えば、近距離無線通信技術を利用して送信されるのが好ましい。例えば、赤外線を利用した通信(IrDA: Infrared Data Association)、ショートメッセージサービス(SMS: Short Message Service)を利用した通信、ブルートゥース(BT: Bluetooth)（登録商標）、フェリカ(FeliCa)（登録商標）、ソーシャルネットワーキングサービス(SNS: Social Networking Service)によるメール等を利用できる。
【００７７】
ユーザＺの携帯端末装置２００２は、アドレス帳を更新する（ステップＳ８０６）。例えば、ユーザＡの携帯端末装置２００１からのアドレス帳は、ユーザＺの携帯端末装置２００２の制御部２０４から記憶部２０６のアドレス帳２０６２に格納される。
【００７８】
ユーザＺの携帯端末装置２００２は、アドレス帳管理サーバ１００に、アドレス帳を送信する（ステップＳ８０８）。アドレス帳情報生成部２０８は、記憶部２０６のアドレス帳２０６２に格納されたアドレス帳を取得する。アドレス帳情報生成部２０８は、アドレス帳情報を生成し、アドレス帳管理サーバ１００に送信する。
【００７９】
アドレス帳管理サーバ１００は、アドレス帳格納部を更新する（ステップＳ８１０）。例えば、ユーザＺからのアドレス帳情報は、アドレス帳管理サーバ１００のアドレス帳取得部１０４により取得される。該アドレス帳取得部１０４は、アドレス帳格納部１０６に、ユーザＺのアドレス帳を更新する。
【００８０】
ユーザＡの携帯端末装置２００１とユーザＺの携帯端末装置２００２との間で、データ通信が行われる（ステップＳ８１２）。該データ通信の際に通信情報が収集される。該通信情報は、記憶部２０６の通信履歴情報に格納される。
【００８１】
ユーザＺの携帯端末装置２００２は、所定の周期で、通信履歴情報を生成する（ステップＳ８１４）。例えば、通信履歴情報生成部２１０は、記憶部２０６に格納された通信履歴情報２０６４を取得し、通信履歴情報を生成する。該所定の周期は、１日単位でもよいし、１週間単位でもよいし、１ヶ月単位でもよい。
【００８２】
ユーザＺの携帯端末装置２００２は、アドレス帳管理サーバ１００に、通信履歴情報を送信する（ステップＳ８１６）。例えば、通信履歴情報生成部２１０により生成された通信履歴情報は、送受信部２０２から送信される。
【００８３】
アドレス帳管理サーバ１００は、ユーザＺの携帯端末装置２００２からの通信履歴情報に基づいて、ユーザＡの重要度指標を算出する（ステップＳ８１８）。例えば、ユーザＺからの通信履歴情報は、通信履歴情報取得部１０８に取得され、通信履歴格納部１１０に格納される。重要度指標算出部１１２は、通信履歴情報格納部１１０に格納されたユーザＺの携帯端末装置２００２からの通信履歴情報に基づいて、ユーザＡの重要度指標を算出する。ユーザＡのプロフィール情報には、プロフィール情報保存期間情報が含まれるためである。
【００８４】
同様に、アドレス帳管理サーバ１００は、プロフィール情報にプロフィール情報保存期間情報が含まれる連絡相手毎に、所定の期間における合計重要度指標を算出するようにしてもよい。
【００８５】
アドレス帳管理サーバ１００は、プロフィール情報にプロフィール情報保存期間情報が含まれる連絡相手毎に算出された合計重要度指標に基づいて、該プロフィール情報にプロフィール情報保存期間情報が含まれる連絡相手のプロフィール情報を削除するかどうかを判定する（ステップＳ８２０）。例えば、プロフィール情報削除判定部１１４は、プロフィール情報にプロフィール情報保存期間情報が含まれる連絡相手のプロフィール情報を削除するかどうかを判定する。
【００８６】
アドレス帳管理サーバ１００は、ステップＳ８２０によりプロフィール情報を削除すると判定された連絡相手のプロフィール情報を削除することによりアドレス帳を更新する（ステップＳ８２２）。例えば、アドレス帳更新部１１４は、プロフィール情報削除判定部１１６により、プロフィール情報を削除すると判定された連絡相手のプロフィール情報を削除することによりアドレス帳を更新する。連絡相手のプロフィール情報を削除する際に、ユーザＺに削除してもよいかを問い合わせるようにしてもよい。ユーザＺにより削除することが許可された場合に削除されてもよい。たまたま、ある所定の期間の間の連絡していなかった連絡相手のプロフィール情報が知らない間に削除されることを防止するためである。
【００８７】
アドレス帳管理サーバ１００は、ユーザＺの携帯端末装置２００２に、更新したアドレス帳を送信する（ステップＳ８２４）。例えば、アドレス帳更新部１１４は、更新したアドレス帳を送受信部１０２から送信する。
【００８８】
ユーザＺの携帯端末装置２００２は、アドレス帳管理サーバ１００からのアドレス帳に更新する（ステップＳ８２６）。例えば、アドレス帳管理サーバ１００からのアドレス帳は、送受信部２０２から制御部２０４に入力される。制御部２０４は、記憶部２０６のアドレス帳２０６２を更新する。
【００８９】
ユーザＺによりアドレス帳を表示するための所定の操作が行われた場合に、更新されたアドレス帳が表示される。該更新されたアドレス帳からは、連絡頻度が低い連絡相手のプロフィール情報は削除されている。
【００９０】
ステップＳ８０６、Ｓ８１４、Ｓ８２６の処理は、携帯端末装置２００２の有する中央演算処理装置（図示無し）により実行される。中央演算処理装置を携帯端末装置２００２として機能させるためのプログラムは、例えば、フレキシブルディスク、ＣＤ−ＲＯＭ、メモリカード等の記録媒体に記録された状態で提供される。また、プログラムを、通信網５０を介してダウンロードするようにしてもよい。この記録媒体をコンピュータの補助記憶装置に挿入すると、記録媒体に記録されたプログラムが読み取られる。中央演算処理装置は、読み込んだプログラムをＲＡＭあるいはＨＤＤに書き込み、処理を実行する。プログラムは、コンピュータに、図８の各ステップＳ８０６、Ｓ８１４、Ｓ８２６を実行させる。また、例えば、プログラムは、少なくとも一部のステップを実行されるようにしてもよい。
【００９１】
ステップＳ８１０、Ｓ８１８−Ｓ８２２の処理は、アドレス帳管理サーバ１００の有する中央演算処理装置（図示無し）により実行される。中央演算処理装置をアドレス帳管理サーバ１００として機能させるためのプログラムは、例えば、フレキシブルディスク、ＣＤ−ＲＯＭ、メモリカード等の記録媒体に記録された状態で提供される。また、プログラムを、通信網５０を介してダウンロードするようにしてもよい。この記録媒体をコンピュータの補助記憶装置に挿入すると、記録媒体に記録されたプログラムが読み取られる。中央演算処理装置は、読み込んだプログラムをＲＡＭあるいはＨＤＤに書き込み、処理を実行する。プログラムは、コンピュータに、図８の各ステップＳ８１０、Ｓ８１８−Ｓ８２２を実行させる。また、例えば、プログラムは、少なくとも一部のステップを実行されるようにしてもよい。
【００９２】
上述した実施例において、プロフィール情報に含まれるプロフィール情報保存期間情報の設定を事後的に変更できるようにしてもよい。例えば、携帯端末装置２００ｎは、アドレス管理サーバ１００にアクセスし、アドレス帳格納部１０６に格納されたアドレス帳に含まれるプロフィール情報に含まれるプロフィール情報保存期間情報の設定を変更できる。
【００９３】
＜変形例＞
上述した実施例において、携帯端末装置に、アドレス帳管理サーバ１００により行われていた処理の一部を実行させてもよい。
【００９４】
＜システム＞
本変形例に従った配信サーバ１００が適用されるシステムについて説明する。
【００９５】
本システムは、図１を参照して説明したシステムにおいて、アドレス帳管理サーバを省略したものである。
【００９６】
＜携帯端末装置＞
本携帯端末装置２００ｎは、電話機能、電子メール機能に加え、他の連絡手段を有する。該他の連絡手段には、１対１の通信可能な連絡手段が含まれるのが好ましい。例えば、本携帯端末装置２００ｎは、Webサービスを利用した通信、ソーシャルネットワークサービスを利用した通信、ブログサービスを利用した通信などが可能である。例えば、ツイッタ、各種ブログサービスなどを利用できる。
【００９７】
本実施例では、他の連絡手段一例として、ツイッタが適用される場合について説明する。ツイッタに限らず、上記の他の連絡手段、また、上記以外の連絡手段を適用できる。
【００９８】
本携帯端末装置２００ｎは、他の携帯端末装置とプロフィール情報を交換した際に、アドレス帳を更新する。該プロフィール情報には、他の携帯端末装置のユーザ名、電話番号、電子メールアドレス、他の連絡手段に対応するアドレス、プロフィール情報保存期間情報が含まれる。
【００９９】
本携帯端末装置２００ｎは、他の携帯端末装置との間の通信情報を収集する。例えば、通信情報として、通信相手、通信開始時間、連絡手段の情報が収集される。
【０１００】
本携帯端末装置２００ｎは、アドレス帳と、通信履歴情報とに基づいて、アドレス帳に含まれるプロフィール情報のうち、プロフィール情報保存期間情報がプロフィール情報の保存期間を管理することを示すものについて、所定の期間における連絡頻度に応じて、削除するかどうかを判定する。例えば、連絡頻度が所定の閾値未満の他のユーザのプロフィール情報を削除し、連絡頻度が所定の閾値以上の他のユーザのプロフィール情報は削除しない。該削除しないユーザのプロフィール情報については、新たに連絡頻度の計算を開始し、次の所定の期間の経過時に同様の判定が行われるようにしてもよい。また、所定の回数プロフィール情報を削除しないと判定された場合に、何らかの操作が行われない限り、プロフィール情報は削除されないような設定に変更されてもよい。
【０１０１】
本実施例では、連絡頻度を表す指標の一例として、ユーザにとって、他のユーザの重要性を表す指標を利用する。例えば、重要度が高い連絡相手には、応答が成立している相手、ユーザが発信した相手が含まれる。本システムでは、プロフィール情報を削除するかどうかを判定する際に、連絡頻度を表す指標として、重要度指標が計算される。
【０１０２】
本携帯端末装置２００ｎは、ユーザによる所定の操作により、アドレス帳を表示する。
【０１０３】
図９は、本携帯端末装置２００ｎを示す機能ブロック図である。図２を参照して説明した携帯端末装置の構成と共通する部分については、説明を省略する。
【０１０４】
本携帯端末装置２００ｎは、重要度指標算出部２１４を有する。該重要度指標算出部２１４は、記憶部２０６と接続される。該重要度指標算出部２１４は、記憶部２０６に格納されたアドレス帳２０６２に含まれるプロフィール情報のうち、プロフィール情報保存期間管理ユーザについて、記憶部２０６に格納された通信履歴情報２０６４に基づいて、重要度指標を算出する。例えば、連絡する際に使用した連絡手段に対応する連絡手段係数と、該連絡に対する応答速度に対応する経過時間係数とを乗算することにより重要度指標を算出する。該重要度指標算出部２１４は、プロフィール情報保存期間管理ユーザについて、ある所定の期間における重要度指標を合計することにより、該所定の期間における合計重要度指標を求める。該重要度指標算出部２１４は、プロフィール情報削除判定部２１６に、プロフィール情報保存期間管理ユーザを示す情報と、該プロフィール情報保存期間管理ユーザについて算出された合計重要度指標を入力する。
【０１０５】
本携帯端末装置２００ｎは、プロフィール情報削除判定部２１６を有する。該プロフィール情報削除判定部２１６は、重要度指標算出部２１４と接続される。該プロフィール情報削除判定部２１６は、重要度指標算出部２１４により入力されたプロフィール情報保存期間管理ユーザを示す情報と、該プロフィール情報保存期間管理ユーザについて算出された合計重要度指標とに基づいて、プロフィール情報保存期間管理ユーザのプロフィール情報を削除すべきかどうかを判定する。例えば、合計重要度指標が所定の閾値以上である場合には、プロフィール情報を削除しないと判定する。連絡頻度が高いと判定されるためである。一方、合計重要度指標が所定の閾値未満である場合には、プロフィール情報を削除すると判定する。連絡頻度が低いと判定されるためである。プロフィール情報削除判定部２１６は、アドレス帳更新部２１８に、プロフィール情報を削除すべきと判定したプロフィール情報保存期間管理ユーザの情報を入力する。
【０１０６】
本携帯端末装置２００ｎは、アドレス帳更新部２１８を有する。該アドレス帳更新部２１８は、プロフィール情報削除判定部２１６と、記憶部２０６と接続される。該アドレス帳更新部２１８は、プロフィール情報削除判定部２１６により入力されたプロフィール情報を削除すべきと判定したプロフィール情報保存期間管理ユーザの情報に基づいて、アドレス帳から、該プロフィール情報を削除すべきと判定したプロフィール情報保存期間管理ユーザのプロフィール情報を削除することにより更新する。
＜本システムの動作＞
図１０は、本システムの動作を示すシーケンスチャートである。
【０１０７】
図１０に示すシーケンスチャートでは、ユーザＺの有する携帯端末装置２００２に格納されたアドレス帳が更新される。また、連絡相手に相当するのがユーザＡであり、該ユーザＡにより送信されたプロフィール情報が削除されるかどうかが判定される。図１０では、説明の便宜のため、連絡相手に相当するのがユーザＡである場合について示されるが、複数の連絡相手からのプロフィール情報に基づいて、ユーザＺのアドレス帳が更新される場合に適用される。この場合、複数の連絡相手のうち、プロフィール情報保存期間管理ユーザについて、重要度指標が算出される。
【０１０８】
ユーザＡの携帯端末装置２００１と、ユーザＺの携帯端末装置２００２との間でプロフィール情報が交換される（ステップＳ１００２）。
【０１０９】
ユーザＡの携帯端末装置２００１から、ユーザＺの携帯端末装置２００２にプロフィール情報が送信される（ステップＳ１００４）。例えば、ユーザＡの携帯端末装置２００１の送受信部２０２は、ユーザＺの携帯端末装置２００２に、プロフィール情報を送信する。該プロフィール情報には、プロフィール情報の保存期間を管理することを示すプロフィール情報保存期間情報が含まれる。例えば、近距離無線通信技術を利用して送信されるのが好ましい。例えば、赤外線を利用した通信、ショートメッセージサービスを利用した通信、ブルートゥース、フェリカ、ソーシャルネットワーキングサービスによるメール等を利用できる。
【０１１０】
ユーザＺの携帯端末装置２００２は、アドレス帳を更新する（ステップＳ１００６）。例えば、ユーザＡの携帯端末装置２００１からのプロフィール情報は、ユーザＺの携帯端末装置２００２の制御部２０４から記憶部２０６のアドレス帳２０６２に格納される。
【０１１１】
ユーザＡの携帯端末装置２００１とユーザＺの携帯端末装置２００２との間で、データ通信が行われる（ステップＳ１００８）。該データ通信の際に通信情報が収集される。該通信情報は、記憶部２０６の通信履歴情報に格納される。
【０１１２】
ユーザＺの携帯端末装置２００２は、所定の周期で、通信応答情報を生成する（ステップＳ１０１０）。例えば、重要度指標算出部２１４は、記憶部２０６に格納された通信履歴情報２０６４を取得し、通信応答情報を生成する。該所定の周期は、１日単位でもよいし、１週間単位でもよいし、１ヶ月単位でもよい。
【０１１３】
携帯端末装置２００２は、通信応答情報２０６４に基づいて、ユーザＡの重要度指標を算出する（ステップＳ１０１２）。例えば、重要度指標算出部２１４は、通信応答情報に基づいて、ユーザＡの重要度指標を算出する。ユーザＡのプロフィール情報には、プロフィール情報保存期間情報が含まれるためである。
【０１１４】
携帯端末装置２００２は、所定の期間におけるユーザＡの合計重要度指標を算出する。例えば、重要度指標算出部２１４は、所定の期間におけるユーザＡの合計重要度指標を算出する。該所定の期間は、１日単位でもよいし、１週間単位でもよいし、１ヶ月単位でもよい。
【０１１５】
同様に、携帯端末装置２００２は、プロフィール情報にプロフィール情報保存期間情報が含まれる連絡相手毎に、所定の期間における合計重要度指標を算出するようにしてもよい。
【０１１６】
携帯端末装置２００２は、プロフィール情報にプロフィール情報保存期間情報が含まれる連絡相手毎に算出された合計重要度指標に基づいて、該プロフィール情報にプロフィール情報保存期間情報が含まれる連絡相手のプロフィール情報を削除するかどうかを判定する（ステップＳ１０１４）。例えば、プロフィール情報削除判定部１１４は、プロフィール情報にプロフィール情報保存期間情報が含まれる連絡相手のプロフィール情報を削除するかどうかを判定する。
【０１１７】
携帯端末装置２００２は、ステップＳ１０１４によりプロフィール情報を削除すると判定された連絡相手のプロフィール情報を削除することによりアドレス帳を更新する（ステップＳ１０１６）。例えば、アドレス帳更新部２１８は、プロフィール情報削除判定部２１６により、プロフィール情報を削除すると判定された連絡相手のプロフィール情報を削除することによりアドレス帳を更新する。連絡相手のプロフィール情報を削除する際に、ユーザＺに削除してもよいかを問い合わせるようにしてもよい。ユーザＺにより削除することが許可された場合に削除されてもよい。たまたま、ある所定の期間の間の連絡していなかった連絡相手のプロフィール情報が知らない間に削除されることを防止するためである。
【０１１８】
ユーザＺがアドレス帳を表示するための所定の操作を行った場合に、更新されたアドレス帳が表示される。該更新されたアドレス帳からは、連絡頻度が低い連絡相手のプロフィール情報は削除されている。
【０１１９】
ステップＳ１００２、Ｓ１００６、Ｓ１０１０−Ｓ１０１６の処理は、携帯端末装置２００２の有する中央演算処理装置（図示無し）により実行される。中央演算処理装置を携帯端末装置２００２として機能させるためのプログラムは、例えば、フレキシブルディスク、ＣＤ−ＲＯＭ、メモリカード等の記録媒体に記録された状態で提供される。また、プログラムを、通信網５０を介してダウンロードするようにしてもよい。この記録媒体をコンピュータの補助記憶装置に挿入すると、記録媒体に記録されたプログラムが読み取られる。中央演算処理装置は、読み込んだプログラムをＲＡＭあるいはＨＤＤに書き込み、処理を実行する。プログラムは、コンピュータに、図１０の各ステップＳ１００２、Ｓ１００６、Ｓ１０１０−Ｓ１０１６を実行させる。また、例えば、プログラムは、少なくとも一部のステップを実行されるようにしてもよい。
【０１２０】
上述した実施例及び変形例において、合計重要度指標が所定の閾値未満である場合に、プロフィール情報に含まれる連絡手段のうちの一部が削除されるようにしてもよい。例えば、使用されなかった連絡手段に関する情報が削除されてもよい。使用されている連絡手段に関する情報は残す方が好ましいためである。
【０１２１】
本実施例、変形例によれば、プロフィール情報を交換したが、あまり連絡をとらなくなった相手のプロフィール情報を自動的に削除できる。
【０１２２】
また、電話機能、電子メール機能に加え、他の連絡手段を含めて、連絡頻度を求めることができるため、携帯端末装置の有する連絡手段による連絡頻度から総合的に、プロフィール情報を削除すべき他のユーザを判定できる。
【０１２３】
本サーバは、
携帯端末装置から通信履歴情報を取得する通信履歴情報取得部と、
前記携帯端末装置からアドレス帳を取得するアドレス帳取得部と、
前記通信履歴情報取得部により取得された通信履歴情報に基づいて、所定の期間における前記アドレス帳に含まれる他のユーザとの間の連絡頻度により表される指標を算出する重要度指標算出部としての、指標算出部と、
前記指標算出部により算出された指標に基づいて、前記アドレス帳に含まれる他のユーザの情報を削除するかどうかを判定するプロフィール情報削除判定部としての、判定部と、
前記アドレス帳から、前記判定部により削除すると判定された他のユーザの情報を削除することによりアドレス帳を更新するアドレス帳更新部と
を有する。
【０１２４】
さらに、
前記他のユーザの情報には、該他のユーザの情報の保存期間を管理するかどうかを示す情報が含まれ、
前記指標算出部は、該他のユーザの情報の保存期間を管理するように指定されている他のユーザとのとの間の連絡頻度により表される指標を算出する。
【０１２５】
さらに、
前記通信履歴情報取得部により取得された通信履歴情報に基づいて、前記携帯端末装置による連絡から前記携帯端末装置の連絡先の他の携帯端末装置から応答があるまでの経過時間又は他の携帯端末装置からの連絡から前記携帯端末装置による応答までの経過時間に応じて設定される経過時間係数を求める重要度指標算出部としての、経過時間係数取得部
を有し、
前記指標算出部は、前記経過時間係数取得部により取得された経過時間係数に基づいて、前記指標を算出する。
【０１２６】
さらに、
前記携帯端末装置による連絡又は前記携帯端末装置による応答に使用された連絡手段に基づいて設定される連絡手段係数を求める連絡手段係数取得部
を有し、
前記指標算出部は、前記経過時間係数取得部により取得された経過時間係数と、前記連絡手段係数取得部により取得された連絡手段係数に基づいて、前記指標を算出する。
【０１２７】
さらに、
前記通信履歴情報取得部により取得される通信履歴情報には、通信相手情報と、通信時刻情報と、連絡手段とが含まれ、
前記連絡手段には、Webサービスを利用した連絡手段、ソーシャルネットワークサービスを利用した連絡手段、ブログサービスを利用した連絡手段の少なくとも１つの情報が含まれる。
【０１２８】
本携帯端末装置は、
アドレス情報を提示する携帯端末装置であって、
通信履歴情報を取得する通信履歴情報取得部と、
前記通信履歴情報取得部により取得された通信履歴情報に基づいて、所定の期間における前記アドレス帳に含まれる他のユーザとの間の連絡頻度により表される指標を算出する重要度指標算出部としての、指標算出部と、
前記指標算出部により算出された指標に基づいて、前記アドレス帳に含まれる他のユーザの情報を削除するかどうかを判定するプロフィール情報削除判定部としての、判定部と、
前記アドレス帳から、前記判定部により削除すると判定された他のユーザの情報を削除することによりアドレス帳を更新するアドレス帳更新部と
を有する。
【０１２９】
さらに、
前記他のユーザの情報には、該他のユーザの情報の保存期間を管理するかどうかを示す情報が含まれ、
前記指標算出部は、該他のユーザの情報の保存期間を管理するように指定されている他のユーザとのとの間の連絡頻度により表される指標を算出する。
【０１３０】
さらに、
前記通信履歴情報取得部により取得された通信履歴情報に基づいて、当該携帯端末装置による連絡から当該携帯端末装置の連絡先の他の携帯端末装置から応答があるまでの経過時間又は他の携帯端末装置からの連絡から当該携帯端末装置による応答までの経過時間に応じて設定される経過時間係数を求める重要度指標算出部としての、経過時間係数取得部
を有し、
前記指標算出部は、前記経過時間係数取得部により取得された経過時間係数に基づいて、所定の指標を算出する。
【０１３１】
さらに、
当該携帯端末装置による連絡又は当該携帯端末装置による応答に使用された連絡手段に基づいて設定される連絡手段係数を求める連絡手段係数取得部
を有し、
前記指標算出部は、前記経過時間係数取得部により取得された経過時間係数と、前記連絡手段係数取得部により取得された連絡手段係数に基づいて、所定の指標を算出する。
【０１３２】
さらに、
前記通信履歴情報取得部により取得される通信履歴情報には、通信相手情報と、通信時刻情報と、連絡手段とが含まれ、
前記連絡手段には、Webサービスを利用した連絡手段、ソーシャルネットワークサービスを利用した連絡手段、ブログサービスを利用した連絡手段の少なくとも１つの情報が含まれる。
【０１３３】
本システムは、
携帯端末装置と、該携帯端末装置の有するアドレス帳を管理するサーバとを有するシステムであって、
前記サーバは、
携帯端末装置から通信履歴情報を取得する通信履歴情報取得部と、
前記携帯端末装置からアドレス帳を取得するアドレス帳取得部と、
前記通信履歴情報取得部により取得された通信履歴情報に基づいて、所定の期間における前記アドレス帳に含まれる他のユーザとの間の連絡頻度により表される指標を算出する指標算出部と、
前記指標算出部により算出された指標に基づいて、前記アドレス帳に含まれる他のユーザの情報を削除するかどうかを判定する判定部と、
前記アドレス帳から、前記判定部により削除すると判定された他のユーザの情報を削除することによりアドレス帳を更新するアドレス帳更新部と
を有し、
前記携帯端末装置は、
前記サーバに通信履歴情報を通知する通信履歴情報通知部と、
前記サーバにアドレス帳を通知するアドレス帳通知部と、
前記サーバからのアドレス帳に更新するアドレス帳更新部と
を有する。
【０１３４】
本サーバにおける方法は、
携帯端末装置から通信履歴情報を取得する通信履歴情報取得ステップと、
前記携帯端末装置からアドレス帳を取得するアドレス帳取得ステップと、
前記通信履歴情報取得ステップにより取得された通信履歴情報に基づいて、所定の期間における前記アドレス帳に含まれる他のユーザとの間の連絡頻度により表される指標を算出する指標算出ステップと、
前記指標算出ステップにより算出された指標に基づいて、前記アドレス帳に含まれる他のユーザの情報を削除するかどうかを判定する判定ステップと、
前記アドレス帳から、前記判定ステップにより削除すると判定された他のユーザの情報を削除することによりアドレス帳を更新するアドレス帳更新ステップと
を有する。
【０１３５】
本方法は、
アドレス情報を提示する携帯端末装置における方法であって、
通信履歴情報を取得する通信履歴情報取得ステップと、
前記通信履歴情報取得ステップにより取得された通信履歴情報に基づいて、所定の期間における前記アドレス帳に含まれる他のユーザとの間の連絡頻度により表される指標を算出する指標算出ステップと、
前記指標算出ステップにより算出された指標に基づいて、前記アドレス帳に含まれる他のユーザの情報を削除するかどうかを判定する判定ステップと、
前記アドレス帳から、前記判定ステップにより削除すると判定された他のユーザの情報を削除することによりアドレス帳を更新するアドレス帳更新ステップと
を有する。
【０１３６】
本プログラムは、携帯端末装置における方法をコンピュータに実行させる。
【０１３７】
説明の便宜上、発明の理解を促すため具体的な数値例を用いて説明されるが、特に断りのない限り、それらの数値は単なる一例に過ぎず適切な如何なる値が使用されてよい。
【０１３８】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【符号の説明】
【０１３９】
５０  通信網
１００  アドレス帳管理サーバ
１０２  送受信部
１０４  アドレス帳取得部
１０６  アドレス帳格納部
１０８  通信履歴情報取得部
１１０  通信履歴情報格納部
１１２  重要度指標算出部
１１４  プロフィール情報削除判定部
１１６  アドレス帳更新部
２００ｎ（ｎは、ｎ＞１の整数）  携帯端末装置
２０２  送受信部
２０３  プロフィール情報生成部
２０４  制御部
２０６  記憶部
２０６２  アドレス帳
２０６４  通信履歴情報
２０８  アドレス情報生成部
２１０  通信履歴情報生成部
２１２  表示部
２１４  重要度指標算出部
２１６  プロフィール情報削除判定部
２１８  アドレス帳更新部
３０２  重要度が高のユーザ
３０４  重要度が中のユーザ
３０６  重要度が低のユーザ
【図１】
2012065270.tif 000003
【図２】
2012065270.tif 000004
【図３】
2012065270.tif 000005
【図４】
2012065270.tif 000006
【図５】
2012065270.tif 000007
【図６】
2012065270.tif 000008
【図７】
2012065270.tif 000009
【図８】
2012065270.tif 000010
【図９】
2012065270.tif 000011
【図１０】
2012065270.tif 000012